(57)【特許請求の範囲】
【請求項１】
水中ロボットと、前記水中ロボットと複合ケーブルを介して接続した制御装置を有しており、埋設管内に前記水中ロボットを投入し、前記水中ロボットにより不断水で埋設管を内部から検査する埋設管検査システムであって、
前記水中ロボットが、この水中ロボットの筐体に取り付けられて検査対象物である前記埋設管の内壁を打撃する打撃装置と、前記筐体に取り付けられて前記打撃装置により生じた打撃音を受信する受信装置と、前記水中ロボットの姿勢制御、浮上制御、及び沈降制御を行うコントローラ又は前記制御装置と、を有しており、
前記打撃装置が、前記筐体から延びるアームの先端にハンマーを設置した構成を有しており、前記埋設管に投入された前記水中ロボットが前記埋設管の内壁に近接してこの内壁を前記ハンマーにより打撃する際に、前記水中ロボットが、前記アームの支点から前記ハンマーにより打撃する側の前記埋設管の内壁までの距離を一定に保つ構成を有するとともに、この水中ロボットが、前記ハンマーにより打撃する側と対向する側の内壁とは離間している構成であり、
前記受信装置で受信した少なくとも２回の前記打撃音を、制御装置で比較することを特徴とする埋設管検査システム。
【請求項２】
前記打撃装置が、複数の前記ハンマー及び前記アームを放射状に固定した回転型の打撃装置であり、この打撃装置により、前記埋設管に投入された前記水中ロボットが前記埋設管の内壁に近接してこの内壁を前記ハンマーにより打撃する際に、前記アームの支点から前記ハンマーにより打撃する側の前記埋設管の内壁までの距離を一定に保つ構成にすることを特徴とする請求項１に記載の埋設管検査システム。
【請求項３】
前記水中ロボットが、前記筐体から突設されて埋設管の内壁に沿って移動するための滑走板を有し、この滑走板により、前記埋設管に投入された前記水中ロボットが前記埋設管の内壁に近接してこの内壁を前記ハンマーにより打撃する際に、前記アームの支点から前記ハンマーにより打撃する側の前記埋設管の内壁までの距離を一定に保つ構成にすることを特徴とする請求項１に記載の埋設管検査システム。
【請求項４】
前記水中ロボットが、前記筐体に設けられて埋設管の内壁に沿って移動するための車輪を有し、この車輪により、前記埋設管に投入された前記水中ロボットが前記埋設管の内壁に近接してこの内壁を前記ハンマーにより打撃する際に、前記アームの支点から前記ハン
マーにより打撃する側の前記埋設管の内壁までの距離を一定に保つ構成にすることを特徴とする請求項１に記載の埋設管検査システム。
【請求項５】
前記水中ロボットが、前記筐体にスラスターを有していることを特徴とする請求項１乃至４のいずれか１項に記載の埋設管検査システム。
【請求項６】
前記水中ロボットが、前記筐体の側面及び上下面に設置されたスラスターと、前記側面に設置された傾動翼と、を有していることを特徴とする請求項１乃至５のいずれか１項に記載の埋設管検査システム。
【発明の詳細な説明】
【技術分野】
【０００１】
本発明は、水中にある構造物の亀裂や劣化等を、検査することができる水中検査システムに関するものである。特に、水道管等の埋設管を、流体の流れている内部から検査する埋設管検査システムに関するものである。
【背景技術】
【０００２】
近年、既存の建造物を有効に活用し、長寿命化を図る体系的な手法であるストックマネジメントが、盛んにうたわれるようになっている。例えば、水道管、工業用水路、農業用水路等の埋設管を、定期的に点検し、修理等を行い、長期に渡り維持管理することが求められている。特に、水道管等の埋設管は、劣化に伴い亀裂等が発生し、漏水等の問題を引き起こすことがあるため、定期的な点検が必要である。
【０００３】
従来の漏水箇所の検査方法は、地上から漏水音を聞いたり、埋設管内にガスを供給し、管外に漏れたガスを検知したりする方法で行われていた。しかし、地上から漏水音を聞く方法は、周囲が静かな環境であることが必須条件となるため、車輛の通行を禁止する交通規制等が必要であった。そのため、検査を行う場所や時間帯に大きな制約があり、効率的に全ての水道管等の埋設管を検査することは、困難であった。
【０００４】
上記の問題に対して、埋設管の漏水及び劣化等の異常を検査する方法が、いくつか提案されている。第１の方法として、弾性波入力装置と弾性波の受信装置を搭載した自走式ロボットを使用する方法がある（例えば、特許文献１参照）。
【０００５】
特許文献１に記載の方法は、まず、埋設管内を流れる水等の流体を堰き止め、埋設管内に自走式ロボットを配置する。そして、この自走式ロボットを移動させながら、埋設管の複数個所で弾性波の入力及び受信を行い、埋設管の劣化を検査する方法である。この方法により、弾性波を比較的静かな管内で受信できるため、地上を走行する車輛の交通規制等が不要となる。
【０００６】
しかしながら、特許文献１に記載の方法は、いくつかの問題点を有している。第１に、この方法は、埋設管内を流れる水等を堰き止める必要があるという問題を有している。この水等を堰き止める作業は、大掛かりなものとなり、多大な時間がかかってしまう。また、需要者に大きな影響がでる場合が多い。
【０００７】
第２に、自走式ロボットが大型であるため、走行のために大きな動力が必要となり、検査システム全体が大規模になるという問題を有している。なお、この自走式ロボットは、自動車と同等程度の全長を有し、半分程度の高さを有している（特許文献１の図５参照）。
【０００８】
第３に、自走式ロボットが大型であるため、検査可能な埋設管のサイズが、一定以上の大きさに制限されてしまうという問題を有している。また、自走式ロボットを埋設管内に投入する投入口も、一定規模以上の大きさが必要となる。そのため、自走式ロボットを投入する場所の自由度は、極めて低いものとなってしまう。つまり、既存の多くの水道管等の埋設管に対して、この自走式ロボットで検査を行うことができない。
【０００９】
上記の検査方法の他に、第２の方法として、埋設管に予め水中マイク等を設置し、この水中マイクをセンサとして音や振動を取得し、埋設管における漏水の有無等を検知する方法がある（例えば、特許文献２参照）。この方法により、上記の検査方法と同様、地上を
走行する車輛の規制等が不要となる。
【００１０】
しかしながら、特許文献２に記載の方法は、いくつかの問題点を有している。第１に、この方法は、予め水中マイク等を設置していない埋設管には、適用することができないという問題を有している。つまり、限られた範囲内における検査のみに利用することができる。
【００１１】
第２に、水等の流体の流れる音の中から、漏水音を検出する必要があるため、複雑な音声解析ソフト及びその装置が必要となるという問題を有している。更に、漏水音を解析して検出するため、ソフトにより処理を行う時間が必要となる。つまり、漏水音をリアルタイムで検知することは不可能である。
【００１２】
以上より、現在は、多数存在している埋設管の多くに対して、漏水や劣化の有無を検査することができていない。また、埋設管を検査する際には、交通規制や、埋設管内の堰き止め作業等、多大なコストと時間が必要となっている。
【先行技術文献】
【特許文献】
【００１３】
【特許文献１】特開２００５−１８９２２９号公報
【特許文献２】特開平１１−６４１５１号公報
【発明の概要】
【発明が解決しようとする課題】
【００１４】
本発明は、上記の問題を鑑みてなされたものであり、その目的は、低コスト且つ簡易な方法で、水中にある構造物の亀裂や劣化等を検査することができる水中検査システムを提供することにある。また、既存の多くの水道管等の埋設管に対して、適用可能な埋設管検査システムを提供することにある。
【課題を解決するための手段】
【００１５】
上記の目的を達成するための本発明に係る水中検査システムは、水中ロボットと、前記水中ロボットと複合ケーブルを介して接続した制御装置を有しており、埋設管内に前記水中ロボットを投入し、前記水中ロボットにより不断水で埋設管を内部から検査する埋設管検査システムであって、前記水中ロボットが、この水中ロボットの筐体に取り付けられて検査対象物である前記埋設管の内壁を打撃する打撃装置と、前記筐体に取り付けられて前記打撃装置により生じた打撃音を受信する受信装置と、前記水中ロボットの姿勢制御、浮上制御、及び沈降制御を行うコントローラ又は前記制御装置と、を有しており、前記打撃装置が、前記筐体から延びるアームの先端にハンマーを設置した構成を有しており、前記埋設管に投入された前記水中ロボットが前記埋設管の内壁に近接してこの内壁を前記ハンマーにより打撃する際に、前記水中ロボットが、前記アームの支点から前記ハンマーにより打撃する側の前記埋設管の内壁までの距離を一定に保つ構成を有するとともに、この水中ロボットが、前記ハンマーにより打撃する側と対向する側の内壁とは離間している構成であり、前記受信装置で受信した少なくとも２回の前記打撃音を、制御装置で比較することを特徴とする。
【００１６】
この構成により、打撃振動のサンプルデータ等を予め準備することが不要となり、且つ、サンプルデータと収集した打撃振動のデータを比較解析する必要がなくなるため、簡易な水中検査システムとすることができる。つまり、検査対象物の構造体から取得した複数の打撃音を相互比較することで、容易に劣化や亀裂等が発生している箇所を特定することができる。少なくとも打撃音の収集と相互比較が行える構成を有していればよいため、埋設管検査システムを小規模化し、水中ロボットを小型化することができる。そのため、既存の埋設管のほとんどを検査対象として検査することができる。
【００１７】
ここで、複合ケーブルとは、水中ロボットと制御装置の間で、データの送受信、電力の供給等を行うケーブルである。
【００１８】
ここで、前記打撃装置が、複数の前記ハンマー及び前記アームを放射状に固定した回転型の打撃装置であり、この打撃装置により、前記埋設管に投入された前記水中ロボットが前記埋設管の内壁に近接してこの内壁を前記ハンマーにより打撃する際に、前記アームの支点から前記ハンマーにより打撃する側の前記埋設管の内壁までの距離を一定に保つ構成にすることもできる。
【００１９】
前記水中ロボットが、前記筐体から突設されて埋設管の内壁に沿って移動するための滑走板を有し、この滑走板により、前記アームの支点から前記ハンマーにより打撃する側の前記埋設管の内壁までの距離を一定に保つ構成にすることもできる。
【００２０】
前記水中ロボットが、前記筐体に設けられて埋設管の内壁に沿って移動するための車輪を有し、この車輪により、前記埋設管に投入された前記水中ロボットが前記埋設管の内壁に近接してこの内壁を前記ハンマーにより打撃する際に、前記アームの支点から前記ハンマーにより打撃する側の前記埋設管の内壁までの距離を一定に保つ構成にすることもできる。
【００２１】
前記水中ロボットが、前記筐体にスラスターを有している構成にすることもできる。
【００２２】
前記水中ロボットが、前記筐体の側面及び上下面に設置されたスラスターと、前記側面に設置された傾動翼と、を有している構成にすることもできる。
【発明の効果】
【００２８】
本発明に係る水中検査システムによれば、低コスト且つ簡易な方法で、水中にある構造物の亀裂や劣化等を検査することができる水中検査システムを提供することができる。また、既存の多くの水道管等の埋設管に対して、適用可能な埋設管検査システムを提供することができる。
【図面の簡単な説明】
【００２９】
【図１】本発明に係る実施の形態の埋設管検査システムの概要を示した図である。
【図２】本発明に係る埋設管検査システムの水中ロボットを示した図である。
【図３】本発明に係る水中ロボットの受信装置を示した図である。
【図４】本発明に係る水中ロボットの推進装置を示した図である。
【図５】本発明に係る水中ロボットの推進装置を示した図である。
【図６】本発明に係る受信装置で得られる波形の概要を示した図である。
【図７】本発明に係る異なる実施の形態の水中ロボットを示した図である。
【図８】本発明に係る異なる実施の形態の水中ロボットを示した図である。
【発明を実施するための形態】
【００３０】
以下、本発明に係る実施の形態の水中検査システム、特に埋設管検査システムについて、図面を参照しながら説明する。図１に、埋設管検査システムの概略を示す。埋設管検査システムは、水中ロボット１と、この水中ロボット１を複合ケーブル７及びケーブルドラム８を介して接続している制御装置５と、この制御装置５に接続したコントローラ６を有している。この水中ロボット１は、埋設管２の内壁面（２ａ、２ｂ等）を打撃する打撃装置３と、この打撃振動（打撃音）を取得するための受信装置４を有している。
【００３１】
また、埋設管検査システムは、水中ロボット１を浮上制御し、埋設管２の天井部２ａを検査する方法、水中ロボット１を沈降制御し、埋設管２の底部２ｂを検査する方法、及び水中ロボット１を中性浮力に制御し、埋設管２の側面を検査する方法等を行えるように構成している。なお、図１の矢印は、埋設管２内の流体の流れ方向を示している。なお、コントローラ６は、水中ロボット１の姿勢制御や、浮上、沈降の制御を行うために設置している。
【００３２】
次に、埋設管検査システムの動作に関して説明する。例えば、水道管の検査であれば、まず、マンホールや空気弁等の枝管（投入口１１）から、水中ロボット１を投入する。そして、水中ロボット１は、打撃装置で埋設管の内壁面（２ａ、２ｂ等）を打撃し、この打撃振動（打撃音）を受信装置で取得しながら、下流方向に移動する。
【００３３】
このとき、取得した複数の打撃音を相互比較し、変化のある箇所を検出する。この場所に、漏水やコンクリートの劣化、又は埋設管の外側周辺の地盤の異常がある。この埋設管の異常箇所を、複合ケーブル７の繰り出し量等から特定し、記録する。この打撃音の取得及びその比較を繰り返しながら、水中ロボット１は、埋設管２内を下流方向に移動する。検査完了後に、ケーブルドラム８で、複合ケーブル７を巻き取り、水中ロボット１を回収する。
【００３４】
なお、水中ロボット１の前進の速度は、流体の流れの速さにより決定される。しかしながら、複合ケーブル７の繰り出し速度の調整により、水中ロボット１の前進速度を遅くする制御を行うことはできる。
【００３５】
上記の構成により、以下のような作用効果を得ることができる。すなわち、埋設管２内を流れる流体を堰き止めずに、埋設管２における漏水や劣化等を検査することができる。このため、埋設管２の検査を、低コスト且つ簡易な方法で実現することができる。
【００３６】
この水中ロボット１は、埋設管２内の流体の流れを利用して移動するように構成している。そのため、水中ロボット１が前進するための動力が不要となる。ここで、水中ロボット１にモータとスクリュー等の推進装置を搭載してもよいが、この推進装置を搭載しない方が、水中ロボット１を小型化することができる。小型の水中ロボット１であれば、直径の細い埋設管等の検査も可能となり、検査範囲が広がる。
【００３７】
また、水中ロボット１を先ず、下流方向に流し、その後、複合ケーブル７又は牽引ロープ９の巻き取りにより、水中ロボット１を上流方向に牽引しながら、打撃音を取得するように構成してもよい。
【００３８】
更に、複合ケーブル７の他に、牽引ロープ９を水中ロボット１に連結する構成としてもよい。この構成により、水中ロボット１の回収等を牽引ロープ９で行うことができる。このため、複合ケーブル７に過度の力がかかり、内部の光ファイバーや通信用の信号線等を破断する事故を防止することができる。
【００３９】
図２に水中ロボット１の１例を示す。水中ロボット１は、筐体２０と、筐体２０に設置した打撃装置３及び水中マイク（受信装置）４を有している。また、筐体２０の後端に、複合ケーブル７を接続している。
【００４０】
この打撃装置３は、アーム２２の先端にハンマー２１を設置した構成を有しており、複数のハンマー２１及びアーム２２を放射状に構成し、回転型の打撃装置３としている。また、水中ロボット１の先端に、ドーム状の推進装置２３を設置している。この推進装置２３には、カメラ２４及び照明装置（図示しない）を設置している。更に、筐体２の側面及び上下面に、姿勢制御のためのスラスター２５を、側面に傾動翼２６を設置している。
【００４１】
次に、水中ロボット１の動作に関して説明する。水中ロボット１は、埋設管２内の流体の流れを推進装置２３で受け、図２の左方に前進する。この前進に伴い、回転型の打撃装置３が回転し、底部２ｂを打撃する。この打撃音を水中マイク４で取得し、複合ケーブル７を経由して、地上の制御装置５に打撃音のデータとして送信する。
【００４２】
この水中ロボット１により、以下のような作用効果を得ることができる。第１に、水中ロボット１は、埋設管２内に流体が充満している状態で使用できるため、流体の堰き止め等の作業が不要となる。第２に、流体の流れを利用して水中ロボット１の移動を行う構成により、水中ロボット１は移動のための駆動装置が不要となり、小型化が可能となる。
【００４３】
第３に、回転型の打撃装置３を利用する構成により、連続的な打撃音を取得することができ、埋設管の検査の精度を向上することができる。つまり、制御装置５では、この複数の打撃音を相互比較して、埋設管３の異常を検出するように構成しているため、取得する打撃音の数が多いほど、正確な検査をすることができる。
【００４４】
ここで、ハンマー２１の材料は、埋設管２等の打撃対象となる管や路の材質により適宜選択することが望ましい。つまり、埋設管２等の材質は、鉄管、塩ビ管、コンクリート管、ＦＲＰ管等、様々の種類があるため、この材質に合わせてハンマー２１の材料を選択するとよい。このとき、ハンマー２１の打撃振動（打撃音）が周波数の高いものとなることが望ましい。なお、ハンマー２１は複数の材料の物を準備しておき、調査対象となる埋設管２等に合わせて、適宜交換可能に構成してもよい。また、この打撃装置３が能動的に回転するように、水中ロボット１に小型のモーターを搭載するように構成してもよい。
【００４５】
第４に、ドーム状の推進装置２３を設置する構成により、水中ロボット１は、流体の流れを効率的に利用し、前進することができる。つまり、水中ロボット１は、前進のための駆動装置を搭載していなくても、推進装置２３が図２に示す流体の流れを受けて、前進する方向の力を効率的に得ることができ、更に、水中ロボット１による検査速度を向上することができる。この推進装置２３の材料は、例えば、検査対象が上水道管等である場合は、食品衛生上の制約等があるため、検査対象となる管や路に合わせて適宜選択することができる。
【００４６】
なお、推進装置２３には、カメラ２４及び照明装置（図示しない）を設置しており、地上の制御装置５に取得した画像を送るように構成している。この照明装置及びカメラ２４は、オペレータが、水中ロボット１の姿勢制御のために行うコントローラ６の操作や、水中ロボット１の前進を制御するために行う複合ケーブル７及び牽引ロープ９の送り出しの操作を補助する役目を有している。
【００４７】
第５に、回転翼を有するスラスター２５を設置する構成により、水中ロボット１は、埋設管２内における姿勢制御を行うことができる。また、平板状の傾動翼２６を設置する構
成により、水中ロボット１は、埋設管２内を流れる水流から、水中ロボット１を底部２ｂ（又は天井部２ａ）に押さえつける力（ダウンフォース）を得ることができる。このスラスター２５の姿勢制御や、傾動翼２６のダウンフォースにより、水中ロボット１が、確実に埋設管２の内壁面（天井部２ａ、底部２ｂ）に沿って移動するため、打撃音の取得効率を高めることができる。
【００４８】
なお、スラスター２５及び傾動翼２６の制御は、制御装置５により自動的に行うように構成してもよく、また、制御装置５に接続したコントローラ６でオペレータが制御するように構成してもよい。
【００４９】
ここで、図２の水中ロボット１は、沈降制御をしており、埋設管２の底部２ｂを検査するように構成している。この沈降制御は、水中ロボット１が埋設管２内の流体よりも比重が重くなるように、ウェイト等を搭載して行う。また、補助的に水中ロボット１の上下面に搭載したスラスター２５を利用してもよい。
【００５０】
図３に、受信装置４の１例である集音型の水中マイク（受信装置４）の部分断面図を示す。集音型水中マイクは、筒状体２７の一端に水中マイク４を設置し、他方を拡開して構成している。この集音型水中マイクは、この筒状体２７の拡開した端部を、埋設管の内壁面（底部２ｂ、天井部２ａ等）に接近又は接触した状態で、打撃音（打撃振動）を取得するように構成している。この構成により、打撃音を確実に、且つ高精度に収集することができるため、埋設管２の亀裂や劣化等を検出する精度を向上することができる。
【００５１】
図４に、推進装置２３の１例である開閉自在の推進装置（傘型推進装置）２３Ａを示す。傘型推進装置２３Ａは、水中ロボット１の筐体２０の前方に設置した中心軸３４（図示しない）と、この中心軸３４の前方端部に傾動自在に設置した複数のロッド３１と、このロッド３１の間に固定したシート状物３０を有している。また、ロッド３１の後端にワイヤ３２を連結している。このワイヤ３２を、係止金具３３ａ、３３ｂを介して筐体２０に係止している。なお、中心軸３４の先端には、カメラ２４を設置している。
【００５２】
この傘型推進装置２３Ａは、拡開した複数のロッド３１とシート状物３０により形成した空洞部に、矢印で示す流体の流れを受け、水中ロボット１が前進するように構成している。そして、水中ロボット１の前進（検査作業）が完了し、地上に回収する際には、地上からのコントロール等により、係止金具３３ａ、３３ｂを開放し、ワイヤ３２の連結を解除する。
【００５３】
図５に、ワイヤ３２の連結を解除した状態を示す。ワイヤ３２を解除すると、傘型推進装置２３Ａは、矢印で示す流体の流れにより、反転する。この構成により、水中ロボット１を牽引ロープ９等で牽引して回収する際、傘型推進装置２３Ａは、流体の流れに対する抵抗とならない。このため、水中ロボット１の回収を容易且つ迅速に行うことができる。
【００５４】
また、傘型推進装置２３Ａを利用する構成により、水中ロボット１の前進する速度を制御することができる。つまり、ワイヤ３２の長さを短く調整し、シート状物３０及びロッド３１の開度を小さくすると、水中ロボット１が流体の流れから得る推進エネルギーを小さくすることができる。逆に、ロッド３１等の開度を大きくし、推進装置２３Ａを大きく開いた場合は、水中ロボット１の前進する速度は上昇する。
【００５５】
なお、シート状物３０は、シート状であり、変形可能であり、また、流体の流れを受けることができるものであればよい。例えば、ビニールシートや、網目の細かい布状物でもよい。
【００５６】
図６に水中マイク（受信装置４）で受信する打撃振動の波形のイメージを示す。縦軸は音の振幅を示し、横軸は時間経過を示している。Ｗ１は打撃装置３により発生する音のイメージ波形を示しており、Ｗ２は流体の流れる音のイメージ波形を示している。
【００５７】
この波形のイメージは、以下の方法で取得する。先ず、複数の打撃振動を水中マイク４で収集する。この打撃振動のデータを、複合ケーブル７を経由して、地上の制御装置５に送信する。この制御装置５には、例えばオシロスコープ、又はＡＤ変換装置を搭載したパソコン等を接続して、この波形を観察するように構成することができる。次に、この取得した打撃振動のデータの波形同士を比較し、埋設管の劣化箇所等を特定する。
【００５８】
具体的には、図６に示すポイントＰ１及びＰ２が、亀裂等を有する劣化箇所を示している。つまり、ポイントＰ１及びＰ２は、他の部分の波形のピークで形成する平均振幅Ｆよりも、大きく下回る振幅であるため、亀裂等の発生が疑われる。
【００５９】
上記の構成により、以下のような作用効果を得ることができる。第１に、流体の流れる音Ｗ２から、打撃音Ｗ１を抽出するためのデータ処理が不要となる。これは、流体の流れる音Ｗ２に比べて、打撃音Ｗ１の方が、波形の振幅が大きい（音が大きい）ためである。
【００６０】
第２に、取得した打撃音のデータから、直接的に埋設管２における亀裂や劣化箇所を特定することが容易に行える。これは、取得した複数のデータ間の比較により、劣化箇所の特定ができるためである。つまり、オシロスコープやＡＤ変換装置を搭載したパソコンにより、打撃音のピークを観察するため、従来のサンプルデータの作成及びそれとの比較等の特別なデータ解析が不要となる。そのため、埋設管検査システム自体を低コストで提供することができる。
【００６１】
第３に、上記のデータ処理の方法を行うため、検査作業を容易且つ短時間に行うことができる。ここで、打撃音のデータの波形は、ハイパスフィルター等を利用すると、更に観察が容易となる。このハイパスフィルターにより、低い周波数を有している流水音等の不要な振動（音）を排除できるためである。
【００６２】
なお、打撃音の発生間隔は等間隔である必要はない。但し、打撃音の相互比較により、埋設管２の問題箇所を検出する構成であるため、打撃音の取得データの数は多い方が望ましい。
【００６３】
図７に、異なる実施の形態の水中ロボット１Ａの概略を示しており、図７左方に側面図、右方に背面図を示す。水中ロボット１Ａは、埋設管２の内壁に沿って移動するための滑走板４０を有している。また、打撃装置３は、ハンマー２１とスイングアーム２２で構成している。更に、筐体２０に、流水により回転する複数の回転翼４１を設置している。
【００６４】
次に、この水中ロボット１Ａの動作に関して説明する。この水中ロボットは、流体の流れ、及びソリ状の滑走板４０により、底面２ｂに沿って移動する。このとき、スイングアーム２２は、水中ロボット１Ａに内蔵した電源、又は地上から供給する電力を利用して動作するように構成している。このスイングアーム２２の動作により、ハンマー２１で内壁を複数回打撃して、打撃振動（振動音）を取得する。
【００６５】
上記の構成により、以下の作用効果を得ることができる。第１に、ソリ状の滑走板４０を設置する構成により、水中ロボット１Ａの移動をスムーズに行うことができる。なお、滑走板４０の材料は、ナイロン系の潤滑性を有する材料、又はテフロン（登録商標）等を利用することができる。また、この滑走板４０により、スイングアーム２２の支点から内壁までの距離を一定に保つことができる。このため、ハンマー２１により得る打撃音のピ
ークを、内壁（底部２ｂ等）の状態が均一であれば、一定に保つことができる。つまり、埋設管２の劣化や亀裂等の検出の精度を向上することができる。
【００６６】
第２に、回転翼４１を設置する構成により、この回転翼４１を介して回収した流体の流れるエネルギーを、スイングアーム２２の動力をはじめとして、水中ロボット１Ａの動力に利用するように構成することができる。この構成により、検査装置全体で必要となる電力を小さくすることができる。そのため、埋設管検査システム全体の規模を小型化することができる。特に、下流側から上流側に、水中ロボット１Ａを移動しながら検査をする場合、回転翼４１により回収できるエネルギー量を増加することができる。
【００６７】
図８に、異なる実施の形態の水中ロボット１Ｂの概略を示す。水中ロボット１Ｂは、埋設管２の内壁に沿って移動するための車輪４２を有している。また、打撃装置３は、ハンマー２１とスイングアーム２２で構成している。更に、受信装置４は、一方を拡開した筒状体２７を有する集音型の水中マイクで構成している。加えて、水中ロボット１Ｂの前方にカメラ２４を設置し、後方にドーム状の推進装置２３を設置した例を示している。なお、水中ロボット１Ｂは、浮上制御を行い、埋設管２の天井部２ａを検査するように構成している。
【００６８】
上記の構成により、以下のような作用効果を得ることができる。第１に、車輪４２を設置する構成により、スイングアーム２２の支点から、内壁（天井部２ａ等）までの距離を一定に保つことができる。そのため、ハンマー２１により内壁を打撃する強さを一定に保つことができる。
【００６９】
第２に、受信装置３に設置した筒状体２７を、ハンマー２１の方向に拡開する構成により、打撃音を効率的に収集することができる。この構成により、埋設管検査の精度を向上することができる。
【００７０】
以上のように、水中ロボットのいくつかの例を示したが、いずれの水中ロボットも、埋設管２の天井部２ａ、側面部、底部２ｂを検査することができる。この水中ロボットの浮力の調整は、検査の前、又は検査の途中であっても、ウェイトを取り除く作業等により実現することができる。
【００７１】
また、打撃装置３、受信装置４及び推進装置２３等を組み合わせて、任意の水中ロボットを構成することもできる。つまり、検査対象となる埋設管２等の状況により、適宜、組合せを変更して、水中ロボットを最適な状態として、埋設管検査に利用することができる。
【００７２】
以上、水中検査システムを、特に埋設管の検査に利用する埋設管検査システムとして説明したが、例えば、原子力発電所において冷却海水を取水する管や、暗渠等の検査に利用することも可能である。但し、流体の流れによる移動が困難な暗渠等で使用する場合には、スクリュー等の能動的な推進装置を設置する必要がある場合もある。
【符号の説明】
【００７３】
１     水中ロボット
２     埋設管
２ａ   天井部
２ｂ   底部
３     打撃装置
４     受信装置（水中マイク）
５     制御装置
７     複合ケーブル
８     ケーブルドラム
２０   筐体
２１   ハンマー
２２   アーム
２３   推進装置
【図１】
0005519360.tif 000002
【図２】
0005519360.tif 000003
【図３】
0005519360.tif 000004
【図４】
0005519360.tif 000005
【図５】
0005519360.tif 000006
【図６】
0005519360.tif 000007
【図７】
0005519360.tif 000008
【図８】
0005519360.tif 000009